(57)【要約】【課題】表示可能な態様を拡張する。【解決手段】表示装置は、第１画像が表示される第１表示部と、背面から入射する光を透過する透過部と、前記背面から入射する光が前記透過部を透過する方向に対応する方向に第２画像を表示する表示素子とが設けられ、前記第１表示部が表示する前記第１画像による光が前記透過部を透過することにより前記第１画像と前記第２画像とが重ねられた第３画像が表示される第１状態と、前記第１画像と前記第２画像とが重ねられずにそれぞれ表示される第２状態とに、前記第１表示部に対して相対的に変位可能である第２表示部とを備える。【選択図】図１
2015141204.tif 000002
【特許請求の範囲】
【請求項１】
第１画像が表示される第１表示部と、
背面から入射する光を透過する透過部と、前記背面から入射する光が前記透過部を透過する方向に対応する方向に第２画像を表示する表示素子が設けられ、前記第１表示部が表示する前記第１画像による光が前記透過部を透過することにより前記第１画像と前記第２画像とが重ねられた第３画像が表示される第１状態と、前記第１画像と前記第２画像とが重ねられずにそれぞれ表示される第２状態とに、前記第１表示部に対して相対的に変位可能である第２表示部と、
を備えることを特徴とする表示装置。
【請求項２】
前記第２表示部は、
前記第１状態において立体視が可能となるように前記第２画像を表示する
ことを特徴とする請求項１に記載の表示装置。
【請求項３】
前記第１表示部は、
背面から入射する光を透過する透過型の表示部であって、前記背面から入射する光が透過する方向に対応する方向に前記第１画像を表示する表示素子を備える
ことを特徴とする請求項１または請求項２に記載の表示装置。
【請求項４】
前記透過部は、
前記第１状態において所定の視点位置から見た場合に、前記第１表示部が備える表示素子の位置と、前記透過部の位置とが重なるようにして配置されている
ことを特徴とする請求項３に記載の表示装置。
【請求項５】
前記第２表示部は、
前記第１表示部に対して水平方向に相対移動することにより、前記第１状態と前記第２状態とに変位可能である
ことを特徴とする請求項１から請求項４のいずれか一項に記載の表示装置。
【請求項６】
前記第２表示部は、
前記第１表示部に対して回転移動することにより、前記第１状態と前記第２状態とに変位可能である
ことを特徴とする請求項１から請求項５のいずれか一項に記載の表示装置。
【請求項７】
入力される情報に基づいて、前記第２表示部が表示する前記第２画像を制御する制御部
を備えることを特徴とする請求項１から請求項６のいずれか一項に記載の表示装置。
【請求項８】
前記第２表示部は、
前記透過部を支持する支持部材を備え、
前記表示素子は、
前記第２表示部の前記支持部材上に配置される
ことを特徴とする請求項１から請求項７のいずれか一項に記載の表示装置。
【請求項９】
第１画像が表示される第１表示部と、背面から入射する光を透過する透過部と、前記背面から入射する光が前記透過部を透過する方向に対応する方向に第２画像を表示する表示素子が設けられ、前記第１表示部が表示する前記第１画像による光が前記透過部を透過することにより前記第１画像と前記第２画像とが重ねられた第３画像が表示される第１状態と、前記第１画像と前記第２画像とが重ねられずにそれぞれ表示される第２状態とに、前記第１表示部に対して相対的に変位可能である第２表示部とを備える表示装置のコンピュータに、
入力される情報に基づいて、前記第２表示部が表示する前記第２画像の画素値を制御する制御ステップ
を実行させるためのプログラム。
【発明の詳細な説明】
【技術分野】
【０００１】
本発明は、表示装置及びプログラムに関する。
【背景技術】
【０００２】
近年、３次元画像の奥行き位置に応じて輝度比を付けた二つの画像を、奥行き位置の異なる手前の表示面と奥の表示面とに表示して両眼視差を生じさせることにより、観察者に立体感を知覚させる表示方法が知られている（例えば、特許文献１を参照）。
【先行技術文献】
【特許文献】
【０００３】
【特許文献１】特許第３４６４６３３号公報
【発明の概要】
【発明が解決しようとする課題】
【０００４】
しかしながら、上記のような表示方法によっては、二つの画像を重ねて表示するための表示装置の構成が限られるため、表示可能な態様が限られてしまうという問題があった。
【０００５】
本発明は、上記問題を解決すべくなされたもので、その目的は、表示可能な態様を拡張することができる表示装置及びプログラムを提供することにある。
【課題を解決するための手段】
【０００６】
本発明の一実施形態は、第１画像が表示される第１表示部と、背面から入射する光を透過する透過部と、前記背面から入射する光が前記透過部を透過する方向に対応する方向に第２画像を表示する表示素子とが設けられ、前記第１表示部が表示する前記第１画像による光が前記透過部を透過することにより前記第１画像と前記第２画像とが重ねられた第３画像が表示される第１状態と、前記第１画像と前記第２画像とが重ねられずにそれぞれ表示される第２状態とに、前記第１表示部に対して相対的に変位可能である第２表示部と、を備えることを特徴とする表示装置である。
【０００７】
また、本発明の一実施形態は、第１画像が表示される第１表示部と、背面から入射する光を透過する透過部と、前記背面から入射する光が前記透過部を透過する方向に対応する方向に第２画像を表示する表示素子とが設けられ、前記第１表示部が表示する前記第１画像による光が前記透過部を透過することにより前記第１画像と前記第２画像とが重ねられた第３画像が表示される第１状態と、前記第１画像と前記第２画像とが重ねられずにそれぞれ表示される第２状態とに、前記第１表示部に対して相対的に変位可能である第２表示部とを備える表示装置のコンピュータに、入力される情報に基づいて、前記第２表示部が表示する前記第２画像の画素値を制御する制御ステップを実行させるためのプログラムである。
【発明の効果】
【０００８】
この発明によれば、表示可能な態様を拡張することができる。
【図面の簡単な説明】
【０００９】
【図１】本発明の実施形態における表示装置の構成の一例を示す概要図である。
【図２】本実施形態の第１表示部の構成の一例を示す模式図である。
【図３】本実施形態の第２表示部の構成の一例を示す模式図である。
【図４】本実施形態の第１表示部と第２表示部との奥行き位置の関係を示す模式図である。
【図５】本実施形態の立体像の奥行き位置の一例を示す模式図である。
【図６】本実施形態の表示装置の状態の一例を示す模式図である。
【図７】本実施形態の制御部の構成の一例を示すブロック図である。
【図８】本実施形態の表示装置の動作の一例を示すフローチャートである。
【図９】本実施形態の表示部の変位の変形例を示す模式図である。
【図１０】本実施形態の表示装置の表示態様の変形例を示す模式図である。
【図１１】本実施形態の表示部の構成の第１の変形例を示す模式図である。
【図１２】本実施形態の表示部の構成の第２の変形例を示す模式図である。
【図１３】本実施形態の表示部の構成の第３の変形例を示す模式図である。
【発明を実施するための形態】
【００１０】
［実施形態]
以下、図面を参照して、本発明の実施形態を説明する。
図１は、本発明の実施形態における表示装置１の構成の一例を示す概要図である。本実施形態の表示装置１とは、例えば、ユーザ（以下の説明において、観察者Ｕともいう。）に対して立体画像を表示する装置である。この表示装置１とは、例えば、広告の画像を立体的に表示するデジタルサイネージシステムである。この一例において、観察者Ｕは、奥行き位置Ｚｖｐに設定されている視点位置ＶＰから表示装置１を見ている。また、この一例において、視点位置ＶＰとは、観察者Ｕの眼の位置である。
【００１１】
以下、各図の説明においてはＸＹＺ直交座標系を設定し、このＸＹＺ直交座標系を参照しつつ各部の位置関係について説明する。表示装置１が画像を表示している方向をＺ軸の正の方向とし、当該Ｚ軸方向に垂直な平面上の直交方向をそれぞれＸ軸方向及びＹ軸方向とする。ここでＸ軸方向は、表示装置１が備える第１表示部１０の水平方向とし、Ｙ軸方向は第１表示部１０の鉛直上方向とする。
【００１２】
表示装置１は、第１表示部１０と、第２表示部２０と、制御部５０とを備えている。第１表示部１０は、奥行き位置Ｚ１に画像Ｐ１を表示する。以下の説明において、この第１表示部１０が表示する画像Ｐ１を、第１画像Ｐ１とも記載する。第２表示部２０は、奥行き位置Ｚ２に画像Ｐ２を表示する。以下の説明において、この第２表示部２０が表示する画像Ｐ２を、第２画像Ｐ２とも記載する。また、この一例において、画像Ｐ１および画像Ｐ２とは、それぞれ図案化された太陽を示す画像が含まれる画像である。以下の説明において、この図案化された太陽を示す画像とは、表示対象ＯＢＪである。この表示対象ＯＢＪとは、立体表示の対象になる画像である。
【００１３】
視点位置ＶＰにいる観察者Ｕが、画像Ｐ１と画像Ｐ２とを重ねて見た場合、第１表示部１０の位置、および第２表示部２０の位置から奥行き方向（Ｚ軸方向）に離れた位置に立体像ＶＩが生じる。ここで、立体像ＶＩとは、画像Ｐ１および画像Ｐ２に含まれる表示対象ＯＢＪに対応する画像であり、表示対象ＯＢＪに立体感を付与する画像である。また、奥行き方向とは、観察者Ｕの視点位置ＶＰから表示対象ＯＢＪに向かう方向である。この立体像ＶＩが生じる仕組みについては後述する。以下、第１表示部１０および第２表示部２０の構成について、図２、図３を参照して説明する。
【００１４】
図２は、本実施形態の第１表示部１０の構成の一例を示す模式図である。第１表示部１０は、表示素子１１を保持するためのフレーム１２を備えている。このフレーム１２は、透過部１２１と、非透過部１２２とを備えている。透過部１２１は、背面から入射する光を透過する。ここで、背面とは、表示素子１１が備えられている表示面の反対側の面である。非透過部１２２は、背面から入射する光を透過しない。この非透過部１２２は、表示素子１１や表示素子２１を動作させるための配線を保持する。このフレーム１２には、表示素子１１がＸ軸およびＹ軸の各方向に格子状に備えられている。表示素子１１は、ＬＥＤ（Light Emitting Diode）などの自発光素子を備えており、制御部５０から出力される画像信号に基づく画素値によって発光する。
【００１５】
図３は、本実施形態の第２表示部２０の構成の一例を示す模式図である。この第２表示部２０は、上述した第１表示部１０と同様の構成であるが、透過部２２１および非透過部２２２の配置が、第１表示部１０の透過部１２１および非透過部１２２の配置と相違する。具体的には、第２表示部２０は、表示素子２１を保持するためのフレーム２２を備えている。このフレーム２２は、透過部２２１と、非透過部２２２とを備えている。透過部２２１は、背面から入射する光を透過する。ここで、背面とは、表示素子２１が備えられている表示面の反対側の面である。非透過部２２２は、背面から入射する光を透過しない。このフレーム２２には、表示素子２１がＸ軸およびＹ軸の各方向に格子状に備えられている。表示素子２１は、ＬＥＤなどの自発光素子を備えており、制御部５０から出力されるが画像信号に基づく画素値によって発光する。
【００１６】
図１に戻り、視点位置ＶＰからみて第１表示部１０と重なる位置に、第２表示部２０が配置される場合について説明する。この場合において、第２表示部２０の透過部２２１は、視点位置ＶＰから第２表示部２０を見た場合に第１表示部１０の表示素子１１が透過して見える位置に配置されている。
【００１７】
制御部５０は、第１表示部１０および第２表示部２０に表示する画像を制御する。制御部５０には、第１画像情報Ｄ１と、第２画像情報Ｄ２との２つの画像情報が入力される。この画像情報とは、表示対象ＯＢＪを含む画像を表示するための情報である。制御部５０は、入力される第１画像情報Ｄ１に基づいて第１表示部１０に表示する画像信号を生成し、生成した画像信号を第１表示部１０に供給する。第１表示部１０は、上述したようにＬＥＤなどの表示素子１１を複数備えている。表示素子１１は、供給された画像信号に基づいて発光することにより画像を表示する。また、制御部５０は、入力される第２画像情報Ｄ２に基づいて第２表示部２０に表示する画像信号を生成し、生成した画像信号を第２表示部２０に供給する。第２表示部２０は、ＬＥＤなどの表示素子２１を複数備えている。表示素子２１は、供給された画像信号に基づいて発光することにより画像を表示する。
【００１８】
なお、ここでは第１表示部１０および第２表示部２０は、いずれもＬＥＤなどの自発光素子を備えている自発光型のスクリーンである場合を例に説明するが、これに限られない。例えば、第１表示部１０、および第２表示部２０は、いずれも液晶表示面など自発光しない表示面であってもよい。この場合には、第１表示部１０、および第２表示部２０は、いずれもバックライトなどの光源装置を表示素子とは別に備えている構成であってもよい。また、第１表示部１０および第２表示部２０は、プロジェクタなどの画像投影装置であって、奥行き位置Ｚ１に第１スクリーンを、奥行き位置Ｚ２を第２スクリーンを備え、各スクリーンに画像を投影する構成であってもよい。
【００１９】
次に、図４、図５を参照して、表示装置１が立体像ＶＩを表示する構成について説明する。
図４は、本実施形態の第１表示部１０と第２表示部２０との奥行き位置の関係を示す模式図である。同図に示すように、第１表示部１０の表示素子１１は、奥行き位置Ｚ１から（＋Ｚ）方向に、すなわち視点位置ＶＰの方向に光Ｌ１を射出する。また、第２表示部２０の透過部２２１は、第１表示部１０の表示素子１１からの光Ｌ１を（＋Ｚ）方向に、すなわち視点位置ＶＰの方向に透過させる。また、第２表示部２０の表示素子２１は、奥行き位置Ｚ２から（＋Ｚ）方向に、すなわち視点位置ＶＰの方向に光Ｌ２を射出する。これにより、視点位置ＶＰから（−Ｚ）方向を見た場合には、光Ｌ１による像と、光Ｌ２による像とが合成された像（合成像）が生じる。
【００２０】
ここで、観察者Ｕが視点位置ＶＰから、光Ｌ１による像を見た場合、観察者Ｕの脳内において主観的輪郭が形成されることがある。例えば、観察者Ｕが視点位置ＶＰから、光Ｌ１による像を見た場合、画像Ｐ１に含まれる表示対象ＯＢＪである図案化された太陽の輪郭が観察者Ｕの脳内において形成されることがある。このように観察者Ｕの脳内において主観的輪郭が形成されると、観察者Ｕは、表示素子１１が表示する画像の輪郭を認識することができる。すなわち、表示素子１１どうしの間隔が比較的広い場合であっても、観察者Ｕは、表示素子１１が表示する画像の輪郭を認識することができる。
【００２１】
光Ｌ１の場合と同様に、観察者Ｕが視点位置ＶＰから、光Ｌ２による像を見た場合、観察者Ｕの脳内において主観的輪郭が形成されることがある。例えば、観察者Ｕが視点位置ＶＰから、光Ｌ２による像を見た場合、画像Ｐ２に含まれる表示対象ＯＢＪである図案化された太陽の輪郭が観察者Ｕの脳内において形成されることがある。このように観察者Ｕの脳内において主観的輪郭が形成されると、観察者Ｕは、表示素子２１が表示する画像の輪郭を認識することができる。すなわち、表示素子２１どうしの間隔が比較的広い場合であっても、観察者Ｕは、表示素子２１が表示する画像の輪郭を認識することができる。
【００２２】
すなわち、表示装置１において、画素どうしの間隔が比較的広い場合や、画像の一部が表示されない（または、非透過部２２２によって遮られる）場合であっても、観察者Ｕは、第１表示部１０に表示される画像の輪郭と、第２表示部２０に表示される画像の輪郭とをそれぞれ認識することができる。
【００２３】
図５は、本実施形態の立体像ＶＩの奥行き位置の一例を示す模式図である。第１表示部１０の奥行き位置Ｚ１と、第２表示部２０の奥行き位置Ｚ２とには、奥行き位置の差がある。このため、観察者Ｕが視点位置ＶＰから第１表示部１０と第２表示部２０とを重ねて見た場合、光Ｌ１による主観的輪郭と、光Ｌ２による主観的輪郭とに視差（両眼視差）が生じる。観察者Ｕは、この両眼視差によって、光Ｌ１と光Ｌ２とによる合成像を、立体像ＶＩとして認識する。この立体像ＶＩは、第１表示部１０の奥行き位置Ｚ１と、第２表示部２０の奥行き位置Ｚ２との間の奥行き位置（例えば、奥行き位置Ｚｖｉ）に生じる。
【００２４】
この立体像ＶＩが生じる奥行き位置は、次の式（１）に示すように、第１表示部１０の表示素子１１の画素値、および第２表示部２０の表示素子２１の画素値によって制御することができる。
【００２５】
ｂ＝第１画像の画素値／（第２画像の画素値＋第１画像の画素値）×ａ…（１）
【００２６】
ここで、値ａは、第１表示部１０の奥行き位置Ｚ１と、第２表示部２０の奥行き位置Ｚ２との距離である。値ｂは、第２表示部２０の奥行き位置Ｚ２と立体像ＶＩの奥行き位置Ｚｖｉとの距離である。すなわち、値ｂは、第２表示部２０の奥行き位置Ｚ２を基準にした場合の、立体像ＶＩの奥行き位置を示す。この式（１）が示す値ａと値ｂとの関係の具体例について説明する。ここで、立体像ＶＩは、第１表示部１０の奥行き位置Ｚ１と、第２表示部２０の奥行き位置Ｚ２との間に生じる。第１表示部１０に表示される第１画像Ｐ１の画素値が大きく（例えば、明るく）なれば、値ｂは値ａに近づく。すなわち、第１画像Ｐ１の画素値が大きくなれば、立体像ＶＩの奥行き位置は、第１表示部１０の奥行き位置Ｚ１に近づく。また、第１画像Ｐ１の画素値が小さく（例えば、暗く）なれば、値ｂは０（ゼロ）に近づく。すなわち、第１画像Ｐ１の画素値が小さくなれば、立体像ＶＩの奥行き位置は、第２表示部２０の奥行き位置Ｚ２に近づく。また、第２表示部２０に表示される第２画像Ｐ２の画素値が大きく（例えば、明るく）なれば、値ｂは０（ゼロ）に近づく。すなわち、第２画像Ｐ２の画素値が大きくなれば、立体像ＶＩの奥行き位置は、第２表示部２０の奥行き位置Ｚ２に近づく。また、第２画像Ｐ２の画素値が小さく（例えば、暗く）なれば、値ｂは値ａに近づく。すなわち、第２画像Ｐ２の画素値が小さくなれば、立体像ＶＩの奥行き位置は、第１表示部１０の奥行き位置Ｚ１に近づく。このように式（１）によれば、第１画像Ｐ１の画素値、および第２画像Ｐ２の画素値によって、立体像ＶＩが生じる奥行き位置を制御することができることがわかる。なお、上述の式（１）は一例であって、値ａと値ｂとの関係を示す式はこれに限られない。式（１）において、さらに係数や関数が存在していてもよい。
【００２７】
ここで、例えば、第１表示部１０の表示素子１１を明るくすると、画像Ｐ１の明るさが画像Ｐ２に対して相対的に明るくなる。この場合、式（１）に基づけば、値ｂが大きくなり、立体像ＶＩは、奥行き位置Ｚ１に近づく。また、第１表示部１０の一部の表示素子１１を暗くすると、画像Ｐ１の明るさが画像Ｐ２に対して相対的に暗くなる。この場合、式（１）に基づけば、値ｂが小さくなり、立体像ＶＩは、奥行き位置Ｚ２に近づく。すなわち、第１表示部１０の表示素子１１、および第２表示部２０の表示素子２１の明るさを制御することにより、奥行き位置Ｚ１から奥行き位置Ｚ２の間において立体像ＶＩが生じる奥行き位置を制御することができる。
【００２８】
なお、第１表示部１０は、表示対象ＯＢＪに対応する画像を、第２表示部２０が表示する表示対象ＯＢＪの大きさよりも大きくして表示することが好ましい。これにより、表示装置１は、観察者Ｕに対して第１表示部１０が表示する表示対象ＯＢＪの視点位置ＶＰにおける見かけの大きさと、第２表示部２０が表示する表示対象ＯＢＪの視点位置ＶＰにおける見かけの大きさとを揃えて表示することができる。
【００２９】
次に、図６を参照して、第１表示部１０と第２表示部２０とが相対的に変位する仕組みについて説明する。
図６（ａ）は、本実施形態の表示装置１の第２状態の一例を示す模式図である。この一例において、第１表示部１０および第２表示部２０は、いずれも透明のフィルム部材によって形成されている。フィルム部材によって形成されることにより、第１表示部１０および第２表示部２０は、ガラス面等に貼付可能である。具体的には、第１表示部１０および第２表示部２０は、ポリマーやシリコンなどといった透明かつ伸縮性のある素材の内部にＬＥＤなどの表示素子（表示素子１１、表示素子２１）を備えている。この表示素子を動作させるための回路は、ＩＴＯ（Indium Tin Oxide）などの透明電極材や透明導電性ポリマーをフィルム部材の裏面に印刷したものである。なお、表示素子を動作させるための回路は、フィルム内部に導線を配置したものであってもよい。また、表示素子は、フィルム部材の内部または外部のいずれに配置されてもよい。なお、表示素子の発熱の観点から、フィルム部材の素材は熱耐性の高い透明シリコンフィルムであることが好ましい。この場合には、光の透過性を高める観点から、シリコンフィルムは薄く用いることが好ましい。
【００３０】
この一例において、第１表示部１０および第２表示部２０は、いずれも部屋の壁面ＷＬの窓ＷＤに貼付されている。この窓ＷＤとは、２枚のガラス戸が引違いに配置されている引違い窓である。これらの２枚のガラス戸のうち一方のガラス戸Ｇ１は、奥行き位置Ｚ１に設けられているレールに沿って±Ｘ方向に横移動（スライド移動）する。また、他方のガラス戸Ｇ２は、奥行き位置Ｚ２に設けられているレールに沿って±Ｘ方向に横移動（スライド移動）する。ここで、第１表示部１０は、ガラス戸Ｇ１に貼付されている。また、第２表示部２０は、ガラス戸Ｇ２に貼付されている。第１表示部１０は、ガラス戸Ｇ１の奥行き位置（奥行き位置Ｚ１）において＋Ｚ方向に画像Ｐ１を表示する。また、第２表示部２０は、ガラス戸Ｇ２の奥行き位置（奥行き位置Ｚ２）において＋Ｚ方向に画像Ｐ２を表示する。この窓ＷＤを閉めた状態において、視点位置ＶＰから窓ＷＤを見た場合には、第１表示部１０が表示する画像Ｐ１と、第２表示部２０が表示する画像Ｐ２とが重ならずに、それぞれ個別に見える。ここで、窓ＷＤを閉めた状態とは、第２状態の一例である。すなわち、第２状態とは、第１画像Ｐ１と第２画像Ｐ２とが重ならずにそれぞれ表示される状態である。
【００３１】
図６（ｂ）は、本実施形態の表示装置１の第１状態の一例を示す模式図である。同図に示すように、ガラス戸Ｇ２を＋Ｘ方向に移動させて、窓ＷＤを開けた状態にすると、第１表示部１０と第２表示部２０とが重なる。ここで、窓ＷＤを開けた状態とは、第１状態の一例である。図２、図３を参照して説明したように、第１表示部１０および第２表示部２０において、第１表示部１０の表示素子１１の位置と、第２表示部２０の透過部２２１の位置とが対応する位置になるように、表示素子１１と透過部２２１とが設けられている。すなわち、第１状態において所定の視点位置ＶＰから見た場合に、第１表示部１０が備える表示素子２１の位置と透過部２２１の位置とが重なるようにして、第１表示部１０が備える表示素子２１と透過部２２１とがそれぞれ配置されている。
【００３２】
したがって、第１状態においては、第１表示部１０の表示素子１１から出射した光Ｌ１が、第２表示部２０の透過部２２１を透過する。この窓ＷＤを開けた状態において、視点位置ＶＰから窓ＷＤを見た場合には、第１表示部１０が表示する画像Ｐ１と、第２表示部２０が表示する画像Ｐ２とが重なって見える。上述したように、画像Ｐ１と画像Ｐ２とが重なって表示されると、表示対象ＯＢＪの立体像ＶＩが奥行き位置Ｚｖｉに生じる。すなわち、画像Ｐ１と画像Ｐ２とが重ねられると、第３画像Ｐ３が立体像ＶＩとして表示される。この第３画像Ｐ３（この一例においては、立体像ＶＩ）は、窓ＷＤを閉めた状態においては表示されない。つまり、表示装置１は、窓ＷＤを開け閉めすることによって、表示される画像を変化させることができる。換言すれば、第２表示部２０は、第１状態において立体視が可能となるように第２画像Ｐ２を表示する。
【００３３】
すなわち、第１状態とは、第１表示部１０が表示する第１画像Ｐ１による光が透過部２２１を透過することにより第１画像Ｐ１と第２画像Ｐ２とが重ねられた第３画像Ｐ３が表示される状態である。換言すれば、第１状態とは、視点位置ＶＰから観察者Ｕが見た場合に、第１表示部１０の位置と、第２表示部２０の位置とが重なる状態である。
【００３４】
また、第１表示部１０は、背面から入射する光を透過する透過型の表示部であって、背面から入射する光が透過する方向に対応する方向に第１画像Ｐ１を表示する表示素子１１を備える。つまり、第１表示部１０は、透過部１２１を備えている。このため、窓ＷＤが閉められている第２状態において、第１表示部１０は、背面から入射する光を透過することができる。したがって、窓ＷＤが閉められている状態であっても、窓ＷＤの奥（−Ｚ方向）の風景を視点位置ＶＰから見ることができる。また、窓ＷＤの奥から窓ＷＤに入射する光を透過可能であるため、透過部１２１を備えない場合に比べて、視点位置ＶＰの明るさを明るくすることができる。
【００３５】
なお、第１表示部１０を移動させずに、第２表示部２０を±Ｘ方向に移動（例えば、横スライド）させることにより、第１状態と第２状態とに変位させる例について説明したが、これに限られない。第１表示部１０と、第２表示部２０とは、相対的に変位することにより、第１状態と第２状態とに変位すればよい。換言すれば、第２表示部２０は、第１表示部１０に対して水平方向に相対移動することにより、第１状態と第２状態とに変位可能であればよい。例えば、第２表示部２０を移動させずに、第１表示部１０を±Ｘ方向に移動（例えば、横スライド）させることにより、第１状態と第２状態とに変位させてもよい。また、例えば、第１表示部１０および第２表示部２０をいずれも±Ｘ方向に移動（例えば、横スライド）させることにより、第１状態と第２状態とに変位させてもよい。
【００３６】
次に、図７を参照して、制御部５０の構成の一例について説明する。
図７は、本実施形態の制御部５０の構成の一例を示すブロック図である。この制御部５０とは例えば、ＣＰＵや記憶装置などを備えるパーソナルコンピュータである。制御部５０は、入力される情報に基づいて、第２表示部２０が表示する第２画像Ｐ２の画素値を制御する。ここで、入力される情報には、第２画像Ｐ２の画素値を示す情報や、立体像ＶＩの奥行き位置を示す情報が含まれる。この制御部５０は、取得部５１と、記憶部５２と、演算部５３と、出力部５４とを備えている。
【００３７】
取得部５１は、例えば、無線または有線による通信を行うための回路を備えており、不図示の他の装置から供給される画像情報を取得する。この画像情報とは、上述したように、表示対象ＯＢＪに対応する画像である。例えば、表示対象ＯＢＪが図案化された太陽の画像である場合には、この画像情報とは、表示対象ＯＢＪである図案化された太陽の画像を表示するための情報である。この画像情報には、例えば、各画素のＲＧＢ値などの、第２画像Ｐ２の画素値を示す情報（画素値情報）が含まれている。また、この画像情報には、例えば、３次元画像のデプスマップなどの、立体像ＶＩが生じる奥行き位置を示す情報（奥行き位置情報）が含まれている。取得部５１は、取得した画像情報を演算部５３に出力する。
【００３８】
記憶部５２は、ＲＡＭ（Random Access Memory）などの半導体記憶素子や、ＨＤＤ（Hard Disk Drive）などの磁気記憶装置、およびこれらの制御回路などを備えており、演算部５３による演算に用いられる情報や演算結果などを記憶する。また、記憶部５２は、演算部５３が実行するプログラムや、プログラムの実行に用いられるデータなどを予め記憶している。このデータには、第１表示部１０、第２表示部２０、および視点位置ＶＰのそれぞれの奥行き位置を示す情報が含まれる。
【００３９】
演算部５３は、例えば、中央演算処理装置（Central Processing Unit：ＣＰＵ）を備えており、種々の演算を行う。この演算部５３は、その演算による機能として、奥行き位置算出部５３１と、画素値算出部５３２とを備えている。
【００４０】
奥行き位置算出部５３１は、取得部５１が取得した画像情報に基づいて、立体像ＶＩが生じる奥行き位置を算出する。具体的には、奥行き位置算出部５３１は、画像情報に含まれる奥行き位置情報を抽出する。また、奥行き位置算出部５３１は、抽出した奥行き位置情報と、記憶部５２が記憶している第１表示部１０、第２表示部２０、および視点位置ＶＰのそれぞれの奥行き位置を示す情報とに基づいて、立体像ＶＩが生じる奥行き位置を算出する。奥行き位置算出部５３１は、算出した奥行き位置を画素値算出部５３２に出力する。
【００４１】
なお、奥行き位置算出部５３１は、画像情報に含まれる奥行き位置情報が示す奥行き位置を、そのまま立体像ＶＩが生じる奥行き位置として画素値算出部５３２に出力してもよい。
【００４２】
画素値算出部５３２は、奥行き位置算出部５３１が算出した立体像ＶＩが生じる奥行き位置に基づいて、表示素子１１および表示素子２１の画素値をそれぞれ算出する。ここで、画素値には、画素の明るさ、輝度、色度、彩度、鮮鋭度などが含まれる。具体的には、画素値算出部５３２は、奥行き位置算出部５３１が算出した奥行き位置に基づいて、取得部５１が取得した画像情報に含まれる画素値情報を補正して、補正後の画素値である補正画素値を算出する。例えば、画素値算出部５３２は、奥行き位置算出部５３１が算出した奥行き位置が相対的に手前（＋Ｚ方向）である場合には、第２表示部２０の画素値が第１表示部１０の画素値よりも明るくするように補正した、補正画素値を算出する。また、画素値算出部５３２は、奥行き位置算出部５３１が算出した奥行き位置が相対的に奥（−Ｚ方向）である場合には、第２表示部２０の画素値が第１表示部１０の画素値よりも暗くするように補正した、補正画素値を算出する。画素値算出部５３２は、算出した補正画素値に基づいて、表示用の画像データを生成し、生成した画像データを出力部５４に出力する。
【００４３】
出力部５４は、ＲＡＭ、ディスプレイコントローラなどによって構成されており、演算部５３が出力する画像情報をフレームごとに一時的に記憶し、記憶したフレームごとの画像情報を第１表示部１０および第２表示部２０に順次出力する。これにより、第１表示部１０および第２表示部２０には、奥行き位置算出部５３１が算出した奥行き位置に立体像ＶＩが生じるようにして、画像Ｐ１および画像Ｐ２が表示される。
【００４４】
［表示装置の動作］
次に、図８を参照して、表示装置１の動作の一例について説明する。
図８は、本実施形態の表示装置１の動作の一例を示すフローチャートである。
ステップＳ１０において、取得部５１は、供給される画像情報を取得する。この画像情報は、有線または無線により、他の装置から供給される。ここで他の装置とは、画像情報を記憶している装置であり、例えば、画像サーバである。取得部５１は、取得した画像情報を演算部５３に出力する。
【００４５】
ステップＳ２０において、制御部５０の奥行き位置算出部５３１は、取得部５１が出力した画像情報に基づいて、立体像ＶＩが生じる奥行き位置を算出する。上述したように、この画像情報には、この画像情報には、例えば、３次元画像のデプスマップなどの、立体像ＶＩが生じる奥行き位置を示す奥行き位置情報が含まれている。この奥行き位置算出部５３１は、画像情報に含まれる奥行き位置情報を抽出し、抽出した奥行き位置情報に応じた奥行き位置に立体像ＶＩが生じるようにして、立体像ＶＩの奥行き位置を算出する。具体的には、奥行き位置算出部５３１は、抽出した奥行き位置情報と、記憶部５２が記憶している第１表示部１０、第２表示部２０、および視点位置ＶＰのそれぞれの奥行き位置を示す情報とに基づいて、立体像ＶＩが生じる奥行き位置を算出する。
【００４６】
ステップＳ３０において、制御部５０の画素値算出部５３２は、ステップＳ２０において奥行き位置算出部５３１が算出した立体像ＶＩが生じる奥行き位置に基づいて、表示素子１１および表示素子２１のそれぞれの画素値を算出する。具体的には、上述したように、画素値算出部５３２は、奥行き位置算出部５３１が算出した奥行き位置に基づいて、取得部５１が取得した画素値情報が示す画素値を補正して補正画素値を算出する。また、画素値算出部５３２は、算出した補正画素値に基づいて、表示用の画像データを生成し、生成した画像データを出力部５４に出力する。
【００４７】
ステップＳ４０において、出力部５４は、演算部５３が出力する画像情報をフレームごとに一時的に記憶し、記憶したフレームごとの画像情報を第１表示部１０および第２表示部２０に順次出力する。これにより、第１表示部１０および第２表示部２０には、奥行き位置算出部５３１が算出した奥行き位置に立体像ＶＩが生じるようにして、表示対象ＯＢＪに対応する画像が表示される。
【００４８】
以上説明したように、本実施形態の表示装置１は、それぞれ相対的に変位可能な第１表示部１０と第２表示部２０とを備えている。これにより、表示装置１は、変位前後において表示される画像を変化させることができる。また、表示装置１は、第１状態においては立体像ＶＩを生じさせることができ、第２状態においては表示面積を第１状態に比べて広く（例えば、表示面積を約２倍に）することができる。すなわち、表示装置１は、表示可能な態様を拡張することができる。
【００４９】
なお、本実施形態において制御部５０は必須の構成要素ではない。第１表示部１０は画像Ｐ１を、第２表示部２０は画像Ｐ２をそれぞれ表示可能であればよい。この画像Ｐ１および画像Ｐ２は、重ねて表示されることにより第３画像Ｐ３を生じる画像であれば、画素値を補正しなくてもよい。この場合には、必ずしも制御部５０が画素値を補正しなくてもよく、表示装置１は、制御部５０を備えていなくてもよい。このように制御部５０を備えない構成であっても、表示装置１は、画像Ｐ１および２画像Ｐ２に対応する第３画像Ｐ３としての立体像ＶＩを生じさせることができる。
また、制御部５０には、第１画像情報Ｄ１と第２画像情報Ｄ２とが入力される構成について説明したが、これに限られない。例えば、制御部５０には、第２画像情報Ｄ２が入力されなくてもよい。この場合、制御部５０には、第１画像情報Ｄ１が入力され、この入力された第１画像情報Ｄ１に基づいて、制御部５０内において第２画像情報Ｄ２を生成してもよい。
【００５０】
［変形例］
なお、これまで第１表示部１０および第２表示部２０が引違い窓に設置されており、±Ｘ方向にスライド変位する場合について説明したが、これに限られない。以下、第１表示部１０および第２表示部２０の変位の変形例ついて、図９を参照して説明する。図９（ａ）（ｂ）は、本実施形態の表示部の変位の第１の変形例を示す模式図である。同図に示すように、第２表示部２０は、Ｘ軸に平行な回転軸Ａ１を回転中心にして回転変位する構成であってもよい。具体的には、第２表示部２０は、図９（ａ）に示す位置から、図９（ｂ）に示す位置に回転変位する構成であってもよい。また、図９（ｃ）（ｄ）は、本実施形態の表示部の変位の第２の変形例を示す模式図である。同図に示すように、第２表示部２０は、Ｙ軸に平行な回転軸Ａ２を回転中心にして回転変位する構成であってもよい。具体的には、第２表示部２０は、図９（ｃ）に示す位置から、図９（ｄ）に示す位置に回転変位する構成であってもよい。すなわち、第２表示部２０は、第１表示部１０に対して回転移動することにより、第１状態と第２状態とに変位可能である構成であってもよい。これらの図９に示すように構成した場合であっても、各表示部は第１状態と第２状態とに変位可能に構成することができる。なお、これらの変形例において、視点位置ＶＰから第２表示部２０を見た場合、第１状態において見える面と、第２状態において見える面とが異なる。具体的には、視点位置ＶＰから第２表示部２０を見た場合、第１状態において表面が見える場合に、第２状態において裏面が見える。このため、これらの図９に示す変形例においては、第２表示部２０は、表面と裏面とのいずれの面にも表示素子２１を備えていること、すなわち両面表示が可能であることが好ましい。
【００５１】
また、表示装置１の表示態様には、様々な変形例がある。この変形例において、第１表示部１０は、第１画像Ｐ１’を表示する。第２表示部２０は、第２画像Ｐ２’を表示する。これらの第１画像Ｐ１’および第２画像Ｐ２’とは、いずれも、表示の内容を人間の眼が認識可能なしきい値よりも低い輝度やコントラストになるように、輝度やコントラストが調整された画像である。また、第１画像Ｐ１’および第２画像Ｐ２’とは、第１画像Ｐ１’と第２画像Ｐ２’とを重ねて表示した場合には、表示の内容を人間の眼が認識可能なしきい値を超える輝度やコントラストになるように、輝度やコントラストが調整された画像である。すなわち、この第１画像Ｐ１’とは、視点位置ＶＰから第１画像Ｐ１’を見た場合に、観察者Ｕがその内容を認識することができない画像である。第２画像Ｐ２’は、視点位置ＶＰから第２画像Ｐ２’を見た場合に、観察者Ｕがその内容を認識することができない画像である。また、第２画像Ｐ２’とは、第１画像Ｐ１’と第２画像Ｐ２’とを重ねて見た場合には、観察者Ｕがその内容を認識することができる画像である。
【００５２】
具体的には、窓ＷＤが閉められた第２状態においては、第１画像Ｐ１’と第２画像Ｐ２’とが重ならずに個別に表示される。したがって、この第２状態においては、視点位置ＶＰから第１画像Ｐ１’および第２画像Ｐ２’を見た場合に、いずれの画像についても観察者Ｕがその内容を認識することができない。また、窓ＷＤが開けられた第１状態においては、第１画像Ｐ１’と第２画像Ｐ２’とが重なって表示される。したがって、この第１状態においては、視点位置ＶＰから第１画像Ｐ１’および第２画像Ｐ２’を見た場合に、観察者Ｕがその内容を認識することができる。すなわち、この変形例による表示態様によれば、第１表示部１０および第２表示部２０を、第２状態から第１状態に変位させることにより、観察者Ｕが内容を認識可能な第３画像Ｐ３’を表示することができる。これにより、観察者Ｕは、窓ＷＤを閉めた状態では認識することができなかった第３画像Ｐ３’を、窓ＷＤを開けることにより認識できるようになる。このため、一例として、表示装置１をデジタルサイネージに応用した場合には、窓ＷＤの開け閉めによって画像が変化するといった演出を行うことが可能になる。このように構成することによっても、表示装置１は、表示可能な態様を拡張することができる。
【００５３】
図１０は、本実施形態の表示装置１の表示態様の第２の変形例を示す模式図である。この変形例において、第１表示部１０および第２表示部２０は、例えば、飲料小売店に設置される商品陳列用の冷蔵ケースＲＦの窓ＷＤに貼付されている。第１表示部１０は、第１画像Ｐ１’’を表示する。第２表示部２０は、第２画像Ｐ２’’を表示する。この第１画像Ｐ１’’とは、視点位置ＶＰから第１画像Ｐ１’’を見た場合に、観察者Ｕがその内容を把握することが困難な画像である。第２画像Ｐ２’’は、視点位置ＶＰから第２画像Ｐ２’’を見た場合に、観察者Ｕがその内容を把握することが困難な画像である。また、第２画像Ｐ２’’とは、第１画像Ｐ１’’と第２画像Ｐ２’’とを重ねて見た場合には、観察者Ｕがその内容を把握することできる画像である。すなわち、観察者Ｕが、第１画像Ｐ１’’または、第２画像Ｐ２’’をそれぞれ単独で見た場合には、観察者Ｕがその内容を把握することが困難であるが、第１画像Ｐ１’’と第２画像Ｐ２’’とを重ねて見た場合には、観察者Ｕがその内容を把握することができる。
【００５４】
具体的には、第１画像Ｐ１’’および第２画像Ｐ２’’とは、冷蔵ケースＲＦ内の商品についての広告画像であり、例えば「２つで２０％ＯＦＦ」との文字を表示する画像である。この広告画像は、観察者Ｕが第１画像Ｐ１’’と第２画像Ｐ２’’とを重ねて見た場合に認識できるように表示される。また、この広告画像は、観察者Ｕが第１画像Ｐ１’’のみを見た場合、または第２画像Ｐ２’’のみを見た場合には認識できないように表示される。また、第１表示部１０および第２表示部２０は、それぞれ透過部１２１、透過部２２１を備えている。したがって、図１０（ａ）に示すように、窓ＷＤを閉めた状態では、観察者Ｕは、広告画像を認識することができず、透過部１２１、透過部２２１を通して冷蔵ケースＲＦの中の商品が見ることができる。また、図１０（ｂ）に示すように窓ＷＤを開けた状態では、第１画像Ｐ１’’と第２画像Ｐ２’’とが重なることにより、「２つで２０％ＯＦＦ」との広告画像（第３画像Ｐ３’’）が観察者Ｕに認識される態様で表示される。これにより、表示装置１は、冷蔵ケースＲＦの窓ＷＤを開けることにより表示が変化する演出を行うことが可能である。このため、表示装置１によれば、観察者Ｕに冷蔵ケースＲＦの窓ＷＤを開ける動機を与えることができる。さらに、表示装置１によれば、観察者Ｕが冷蔵ケースＲＦの窓ＷＤを開けることにより、冷蔵ケースＲＦ内の商品を購入する動機を与えることもできる。また、表示装置１は、窓ＷＤの開度（ここでは、Ｘ方向の位置）に応じて、第３画像Ｐ３’’の表示内容が変化するように、第１画像Ｐ１’’と第２画像Ｐ２’’とを表示してもよい。具体的には、表示装置１は、窓ＷＤの開度が冷蔵ケースＲＦ内の商品が取り出せる開度になるまでは、窓ＷＤを開けるように誘導する画像を第３画像Ｐ３’’として表示し、窓ＷＤの開度が冷蔵ケースＲＦ内の商品が取り出せる開度になると、商品の割引クーポンを発行する画像を第３画像Ｐ３’’として表示する。このように表示することによっても、表示装置１は、観察者Ｕに冷蔵ケースＲＦの窓ＷＤを開け、商品を購入する動機を与えることができる。なお、この一例においては、表示装置１を飲料小売店に設置される商品陳列用の冷蔵ケースＲＦに適用した場合について説明したが、これに限られない。例えば、表示装置１は、店舗の入り口にある自動ドアなどにも適用することができる。
【００５５】
［表示部の構成の変形例］
上述において、第１表示部１０および第２表示部２０は、いずれも透明のフィルム部材によって形成されているとして説明した。以下、この第１表示部１０および第２表示部２０の構成の変形例について説明する。
図１１は、本実施形態の表示部の構成の第１の変形例を示す模式図である。図１２は、本実施形態の表示部の構成の第２の変形例を示す模式図である。なお、これら図１１、図１２においては、第１表示部１０と、第２表示部２０とのいずれについても構成が同様である。このため、第１表示部１０の構成について説明し、第２表示部２０の説明を省略する。図１１に示すように、第１表示部１０は、透明のガラスＧＬの内部に複数の表示素子１１が埋め込まれた構造であってもよい。また、図１２に示すように、このガラスＧＬが飛散防止ワイヤーを備える場合には、Ｘ方向の飛散防止ワイヤーＷＸと、Ｙ方向の飛散防止ワイヤーＷＹとの交点に、表示素子１１を備える構成であってもよい。これにより、表示装置１は、観察者Ｕが第１表示部１０を見た場合に、表示素子１１を目立たなくすることができる。また、この飛散防止ワイヤーＷＸおよび飛散防止ワイヤーＷＹを、表示素子１１を動作させるための配線として利用してもよい。また、ガラスＧＬが真空層などの中間層を有する複層ガラスである場合には、表示素子１１や表示素子１１を動作させるための配線を、この中間層に配置してもよい。ここで、透明のガラスＧＬとは、透過部の一例であり、飛散防止ワイヤーとは、透過部を支持する支持部材の一例である。
【００５６】
図１３は、本実施形態の表示部の構成の第３の変形例を示す模式図である。図１３（ａ）に示すように、第２表示部２０は、カーテン状に構成されていてもよい。この場合、図１３（ｂ）に示すように、第２表示部２０は、窓ＷＤのカーテン取付け用レールに設置されてもよい。このように構成することにより、表示装置１は、既存のカーテンと置き換えて設置することができ、設置を容易にすることができる。また、この場合には、光の透過率を確保するため、所定の透過率（例えば、３０％）を下まわらないような密度で表示素子２１を配置することが好ましい。
【００５７】
これまで、第１表示部１０は、表示素子１１を備える自発光型のスクリーンであるとして説明したが、これに限られない。第１表示部１０は、単なる絵を第１画像Ｐ１’’’として表示する壁面であってもよい。この場合には、制御部５０は、入力される第２画像情報Ｄ２に基づいて第２表示部２０を制御して、第２表示部２０に第２画像Ｐ２’’’を表示させる。このように構成しても、第２表示部２０を変位させることにより、第１画像Ｐ１’’’と第２画像Ｐ２’’’とを重ねて第３画像Ｐ３’’’を表示することができる。
【００５８】
また、第１表示部１０および第２表示部２０は、いずれも可視光領域の周波数以外の周波数を含む光によって画像を表示してもよい。例えば、第２表示部２０は、赤外線ＬＥＤを表示素子２１として備えていてもよい。また、不図示の赤外線撮像装置によって第２表示部２０が表示する画像を撮像してもよい。この場合には、観察者Ｕは、赤外線撮像装置によって撮像された画像を見ることによって、第２表示部２０に表示されている内容を認識する。具体的な一例として、商品広告にアクセスするための情報を２次元コードによって表示する場合に、第１表示部１０には２次元コードの一部を表示し、第２表示部２０には２次元コードの残りの部分を表示する。第１表示部１０と第２表示部２０とが重なる位置に第２表示部２０を移動させた場合に、第３画像Ｐ３としての２次元コードが完成する。観察者Ｕは、赤外線領域を撮像することができるカメラによって、この２次元コードを撮像することにより２次元コードを取得し、この２次元コードが示す商品広告にアクセスする。このように構成することにより、表示装置１は、商品広告にアクセスするための動機を観察者Ｕに与えることができる。これにより、表示装置１は、広告効果を高めた表示を行うことができる。すなわち、表示装置１は、表示可能な態様を拡張することができる。
【００５９】
以上、本発明の実施形態を、図面を参照して詳述してきたが、具体的な構成はこの実施形態に限られるものではなく、本発明の趣旨を逸脱しない範囲で適宜変更を加えることができる。上述した各変形例に記載の構成を組み合わせてもよい。
【００６０】
表示装置１は、表示対象ＯＢＪの輪郭を示すエッジ画像を、第１画像Ｐ１および第２画像Ｐ２のいずれか、または両方として表示してもよい。このように構成しても、表示装置１は、第３画像Ｐ３としての立体像ＶＩを表示することができる。また、この場合には、表示対象ＯＢＪの画像全体を表示しないため、消費電力を低減することができる。
【００６１】
なお、表示装置１が備える各部は、専用のハードウェアにより実現されるものであってもよく、また、メモリおよびマイクロプロセッサにより実現させるものであってもよい。
【００６２】
なお、表示装置１が備える各部は、メモリおよびＣＰＵ（中央演算装置）により構成され、表示装置１が備える各部の機能を実現するためのプログラムをメモリにロードして実行することによりその機能を実現させるものであってもよい。
【００６３】
また、表示装置１が備える各部の機能を実現するためのプログラムをコンピュータ読み取り可能な記録媒体に記録して、この記録媒体に記録されたプログラムをコンピュータシステムに読み込ませ、実行することにより、制御部が備える各部による処理を行ってもよい。なお、ここでいう「コンピュータシステム」とは、ＯＳや周辺機器等のハードウェアを含むものとする。
【００６４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００６５】
１…表示装置、１０…第１表示部、１１…表示素子、２０…第２表示部、２１…表示素子、５０…制御部、５３２…画素値算出部
【図２】
2015141204.tif 000003
【図３】
2015141204.tif 000004
【図４】
2015141204.tif 000005
【図５】
2015141204.tif 000006
【図７】
2015141204.tif 000007
【図８】
2015141204.tif 000008
【図９】
2015141204.tif 000009
【図１１】
2015141204.tif 000010
【図１２】
2015141204.tif 000011
【図１】
2015141204.tif 000012
【図６】
2015141204.tif 000013
【図１０】
2015141204.tif 000014
【図１３】
2015141204.tif 000015